(57)【要約】【課題】  櫛歯体と柄筒体の連通部分とは別に、櫛歯体と柄筒体を強固に結合する機能部分を設けることにより、櫛歯体と柄筒体の強固で安定した組付き状態を、安全に維持すると共に、櫛歯体と柄筒体の連通部分の機能低下を防止することを目的とする。【解決手段】  櫛付きキャップ１の主体部分である櫛歯体２と柄筒体１２の間に、流路接続を達成維持する嵌着筒片８と嵌着周溝１７の組合せ物を設け、この組合せ物の両側に位置する柄筒体１２の両側面壁１８に、櫛歯体２と柄筒体１２の組付きを達成する係止組付き部分を形成することにより、櫛歯体２と柄筒体１２の強固で安定した組付きを得る。【選択図】  図１
2011072375.tif 000002
【特許請求の範囲】
【請求項１】
内容液を収納する容器体の口部に組付いて、前記内容液を櫛歯片間に吐出可能とした櫛歯付きキャップであって、櫛歯体と柄筒体と組付きキャップ体とから成り、前記櫛歯体を、前記櫛歯片を前面に列設し、後面に前記櫛歯片に形成した注出路の通路口を囲む嵌着筒片を立設した主体板と、該主体板の両側端から後方に起立設された一対の挟持板を有する構成とし、前記柄筒体を、有頂筒状の主体筒の正面壁に、前記嵌着筒片が密にかつ強固に嵌着する嵌着周溝を設け、前記主体筒の両側面壁に、前記挟持板が強固に挟み付きながらアンダーカット結合する結合機能部を有する構成とし、前記容器体の口部に着脱可能に組付く組付きキャップ体を、前記柄筒体が不動に組付く装着筒を有する構成とした櫛付きキャップ。
【請求項２】
嵌着筒片と嵌着周溝の組合せを、櫛歯体と柄筒体の間の内容液通路接続部全体を囲む構造で構成した請求項１に記載の櫛付きキャップ。
【請求項３】
挟持板と側面壁のアンダーカット結合を、前記挟持板内面に突設した係止片の、前記側面壁に突設した係止突部に対する乗り越え係止により達成するものとした請求項１または２に記載の櫛付きキャップ。
【請求項４】
側面壁に、組付いた挟持板の端面間近に対向する当り壁片を突設した請求項１〜３のいずれか１項に記載の櫛付きキャップ。
【請求項５】
櫛歯片の横幅方向の中央部に、膨出状に肉厚を大きくした中央大厚部を形成し、前記櫛歯片内に形成される注出路の流路断面積を、前記中央大厚部の肉厚増大分だけ大きくした請求項１〜４のいずれか１項に記載の櫛付きキャップ。
【発明の詳細な説明】
【技術分野】
【０００１】
本発明は、容器体に収納された白髪染め液、ヘアマニキュア、ヘアカラーさらには整髪料等の内容液を、容器体から頭髪に直接塗布すべく構成した櫛付きキャップに関するものである。
【背景技術】
【０００２】
スクイズ性を有する容器体やエアゾール式の容器体に、容器体の白髪染め液やヘアマニキュア等の内容液を、直接頭髪に塗付することができるようにした櫛付きキャップを組付けたものが知られているが、この種の櫛付きキャップは、列設された複数の櫛歯片間に、容器体に収納された内容液を吐出する構成となっていて、適量の内容液を櫛歯片間に吐出した状態で頭髪を梳くことにより、そのまま内容液を頭髪に塗付するものとなっている。
【０００３】
この種の櫛付きキャップは、内容液の使い切りによる容器体の交換や、櫛付きキャップの洗浄等のために、容器体に対して着脱可能となっており、一般には容器体に対する着脱のために組付きキャップ体を有する構成となっている。
【０００４】
容器体に対する櫛付きキャップの着脱操作は、片方の手で容器体を、そして他方の手で櫛付きキャップの組付きキャップ体を持って行うべきものであるが、例えば特開２００４−０３３２７４公報に示されるように、櫛歯片が縦に列設された横櫛タイプの櫛付きキャップにあっては、櫛歯片の位置する部分が持ち易いので、この部分を持って着脱操作することが多い。
【０００５】
従来技術の特開２００４−０３３２７４公報に示されているように、一体に櫛歯片を列設した櫛歯体は、各櫛歯片内に形成した注出路の連通筒片を、組付きキャップ体に組付く柄筒体の嵌合孔に個々に密嵌合させて組付いているのであるが、この組付き強度が必ずしも充分に強固ではないため、櫛歯片が位置する部分に着脱操作力が作用すると、櫛歯体と柄筒体の組付き状態が弛んで、両者間のシール性が劣化したり、極端な場合には、機械的強度が必ずしも充分ではない連通筒片が破壊して、櫛歯体と柄筒体の連結が不能となる、と云う問題があった。
【０００６】
また、櫛歯体と柄筒体の組付が弛むと、櫛歯体と柄筒体の間のシール性が劣化して内容液の漏れが発生したり、櫛歯体と柄筒体の間に隙間が発生し、この隙間が櫛付きキャップの外観体裁を著しく害すると共に、使用時に頭髪が引っ掛かって使用感が劣化する、と云う問題があった。
【先行技術文献】
【特許文献】
【０００７】
【特許文献１】特開２００４−０３３２７４公報
【発明の概要】
【発明が解決しようとする課題】
【０００８】
そこで、本発明は、上記した従来技術における問題点を解消すべく創案されたもので、櫛歯体と柄筒体の連通部分とは別に、櫛歯体と柄筒体を強固に結合する機能部分を設けることを技術的課題とし、もって櫛歯体と柄筒体の強固で安定した組付き状態を、安全に維持すると共に、櫛歯体と柄筒体の連通部分の機能低下を防止することを目的とする。
【課題を解決するための手段】
【０００９】
上記技術的課題を解決するための本発明の主たる構成は、
内容液を収納する容器体の口部に組付いて、内容液を櫛歯片間に吐出可能とした櫛歯付きキャップであること、
櫛歯体と柄筒体と組付きキャップ体とから構成されること、
櫛歯体を、櫛歯片を前面に列設し、後面に櫛歯片に形成した注出路の通路口を囲む嵌着筒片を立設した主体板と、この主体板の両側端から後方に起立設された一対の挟持板を有する構成とすること、
柄筒体を、有頂筒状の主体筒の正面壁に、櫛歯体の嵌着筒片が密にかつ強固に嵌着する嵌着周溝を設け、主体筒の両側面壁に、櫛歯体の挟持板が強固に挟み付きながらアンダーカット結合する結合機能部を有する構成とすること、
容器体の口部に着脱可能に組付く組付きキャップ体を、柄筒体が不動に組付く装着筒を有する構成とすること、
にある。
【００１０】
主体板の前面に、縦方向に沿って複数の櫛歯片を列設した櫛歯体と、主体筒を有する柄筒体とは、嵌着筒片と嵌着周溝の密嵌合により、両者間の内容液通路の密な接続が達成維持され、また一対の挟持板の両側面壁に対する挟み付きながらのアンダーカット結合が主体となって、両者間の強固な組付きが達成されている。
【００１１】
この櫛歯体と柄筒体の組付きを達成するアンダーカット結合部分は、嵌着筒片と嵌着周溝の密嵌合部分の両側に位置しているので、櫛付きキャップに捻り力等の横方向に作用する外力が作用すると、この横方向からの外力はアンダーカット結合部分で受け止められ、このアンダーカット結合部分間に位置している嵌着筒片と嵌着周溝の密嵌合部分には殆ど作用しない。
【００１２】
それゆえ、容器体に対して櫛付きキャップを着脱する際に、櫛歯体に対して、櫛付きキャップを把持した手から横方向の外力が作用しても、櫛歯体と柄筒体の強固な組付きが安定して維持されると共に、この外力が嵌着筒片と嵌着周溝の密嵌合部分に殆ど作用しないので、櫛歯体と柄筒体の間の密な連通状態は安定して維持される。
【００１３】
また、アンダーカット結合部分は、挟持板と側面壁の間に形成されるので、その全体は挟持板により隠された状態となり、このためアンダーカット結合部分が露出して、櫛付きキャップの外観体裁を劣化させる恐れはない。
【００１４】
組付きキャップ体に対して柄筒体が不動に組付いているので、櫛歯体と柄筒体の組合せ部分に作用した着脱操作力は、そのまま組付きキャップ体に作用することになり、このため例え櫛歯体と柄筒体の組合せ部分を把持した状態であっても、櫛付きキャップの容器体に対する着脱を、支障なく達成できることになる。
【００１５】
本発明の別の構成は、上記した主たる構成に加えて、嵌着筒片と嵌着周溝の組合せを、櫛歯体と柄筒体の間の内容液通路接続部全体を囲む構造で構成した、ものである。
【００１６】
嵌着筒片と嵌着周溝の組合せを、櫛歯体と柄筒体の間の内容液通路接続部全体を囲む構造で構成したものにあっては、各櫛歯片別に設けられている内容液通路接続部の密な接続を、一つの嵌着筒片と嵌着周溝の組合せでまとめて達成維持するので、櫛歯体と柄筒体の間の内容液通路の密な接続維持が達成し易くなる。
【００１７】
また、本発明の別の構成は、上記した主たる構成に加えて、櫛歯体の挟持板と柄筒体の側面壁のアンダーカット結合を、挟持板内面に突設した係止片の、側面壁に突設した係止突部に対する乗り越え係止により達成した、ものである。
【００１８】
挟持板と側面壁のアンダーカット結合を、係止片の係止突部に対する乗り越え係止により達成したものにあっては、係止突片に対する係止片の係止組付きを、挟持板自体の、側面壁に対する挟持組付き力により達成維持するので、柄筒体に対する櫛歯体の組付きを、簡単な嵌め合せ操作により達成できると共に、一定した姿勢で安定させることができる。
【００１９】
また、本発明の別の構成は、上記した主たる構成に加えて、柄筒体の側面壁に、組付いた櫛歯体の挟持板の端面間近に対向する当り壁片を突設した、ものである。
【００２０】
側面壁に、組付いた挟持板の端面間近に対向する当り壁片を突設したものにあっては、この当り壁片が挟持板の端面を覆うことになるので、他の物品が挟持板の端面に引っ掛かることが阻止され、これにより一対の挟持板の間隔幅が不正に広げられて、挟持板の側面壁に対するアンダーカット結合を劣化させる不都合の発生を防止する。
【００２１】
また、本発明の別の構成は、上記した主たる構成に加えて、櫛歯片の横幅方向の中央部に、膨出状に肉厚を大きくした中央大厚部を形成し、櫛歯片内に形成される注出路の流路断面積を、中央大厚部の肉厚増大分だけ大きくした、ものである。
【００２２】
櫛歯片の横幅方向の中央部に中央大厚部を形成し、注出路の流路断面積を中央大厚部の肉厚増大分だけ大きくしたものにあっては、注出路の流路断面積を増大した分だけ、内容液の注出流路抵抗を減少させることができ、これにより内容液の吐出を小さな操作力で達成することができることになる。
【発明の効果】
【００２３】
本発明は、上記した構成となっているので、以下に示す効果を奏する。
本発明の主たる構成にあっては、容器体に対して櫛付きキャップを着脱する際に、櫛歯体に対して、櫛付きキャップを把持した手から力が作用しても、櫛歯体と柄筒体の強固な組付きが安定して維持されると共に、櫛歯体と柄筒体の間の密な連通状態が安定して維持されるので、櫛付きキャップの櫛歯体と柄筒体の組付き不良の発生を確実に防止して、櫛付きキャップを安全に使用することができる。
【００２４】
また、櫛歯体と柄筒体のアンダーカット結合部分は、隠された状態となり、このためアンダーカット結合部分が露出して、櫛付きキャップの外観体裁を劣化させる恐れはないので、外観体裁の良い櫛付きキャップを得ることができる。
【００２５】
嵌着筒片と嵌着周溝の組合せを、櫛歯体と柄筒体の間の内容液通路接続部全体を囲む構造で構成したものにあっては、櫛歯体と柄筒体の間の内容液通路の密な接続維持が達成し易くなり、これにより櫛付きキャップの良好で円滑な使用状況を得ることができる。
【００２６】
挟持板と側面壁のアンダーカット結合を、係止片の係止突部に対する乗り越え係止により達成したものにあっては、柄筒体に対する櫛歯体の組付きを、簡単な嵌め合せ操作により達成できると共に、一定した姿勢で安定させることができるので、簡単に櫛付きキャップを取り扱うことができる。
【００２７】
側面壁に、組付いた挟持板の端面間近に対向する当り壁片を突設したものにあっては、挟持板の側面壁に対するアンダーカット結合を劣化させる不都合の発生を防止することができるので、櫛付きキャップの安全な使用状態を得ることができる。
【００２８】
櫛歯片の横幅方向の中央部に中央大厚部を形成し、注出路の流路断面積を中央大厚部の肉厚増大分だけ大きくしたものにあっては、内容液の吐出を小さな操作力で達成することができることになるので、内容液の吐出を無理なく容易に行うことができる。
【図面の簡単な説明】
【００２９】
【図１】本発明の一実施形態例を示す、要部分解斜視図である。
【図２】図１の実施形態例の、一部分離した縦断側面図である。
【図３】図２に示した縦断面部分の、全体側面図である。
【図４】図３に示した実施形態例の、平断面図である。
【図５】図３に示した実施形態例の、平面図である。
【図６】図３に示した実施形態例の、正面図である。
【図７】櫛歯片に開設した吐出口の、他の実施形態例を示す平断面図である。
【発明を実施するための形態】
【００３０】
以下、本発明の一実施形態を、図１〜図６を参照しながら説明する。
本発明による櫛付きキャップ１（図２参照）は、櫛歯片４を有する櫛歯体２と、この櫛歯体２を不動にかつ密に組付け、櫛歯体２と容器体（図示省略）との間の内容液の流通路を形成する柄筒体１２と、この柄筒体１２を不動に組付けると共に、容器体の口部に着脱可能に組付く組付きキャップ体２４とから構成されており、櫛歯体２、柄筒体１２そして組付きキャップ体２４のそれぞれは、合成樹脂製射出成形品である。
【００３１】
櫛歯体２は、縦長平板状の主体板３（図１、図２、図４参照）の前面に、複数の櫛歯片４を縦に列設すると共に、この主体板３の後面に嵌着筒片８を立設し、主体板３の両側端から一対の挟持板９（図１、図３、図４参照）を後方に起立設して構成されている。
【００３２】
各櫛歯片４内には、後端を主体板３の後面に開口し、先端を櫛歯片４の先端部で上下に開口した吐出口７に連通させた注出路６（図２参照）が形成されており、嵌着筒片８は、主体板３後面における注出路６の各開口全体を囲む構造（図２、図４、図５参照）の縦長円筒片状となっており、一対の挟持板９の内面には、複数の係止片１０（図４参照）が相互に対向して、かつ縦方向に分離配置された状態で突設されている。
【００３３】
各櫛歯片４は、横幅方向の中央部分に、膨出状に肉厚を大きくした中央大厚部５（図５参照）を形成しており、この中央大厚部５を形成することにより、流路断面積の大きい注出路６の形成を可能として、内容液の吐出操作を容易とし、またこの中央大厚部５部分で隣接する櫛歯片４の間隔を狭くして、櫛歯片４による頭髪の保持性を高め、吐出した内容液の頭髪に対する塗布性を高めるようにしている。
【００３４】
なお、各係止片１０に対向する主体板３部分に開設された型抜き穴１１（図４、図５参照）は、係止片１０を突出状に成形する型片部分から離型するためのものである。
【００３５】
柄筒体１２は、内部に吐出室１４を形成している有頂筒状の主体筒１３（図１、図２、図４、図６参照）の正面壁１５に、櫛歯体２の嵌着筒片８が密嵌着する嵌着周溝１７（図１、図２、図４参照）を形成し、また主体筒１３の両側面壁１８に、櫛歯体２の各係止片１０が乗り越え係止する係止突片１９（図１、図４参照）を突設して、さらに主体筒１３の下端に、接続筒片２１（図１、図２、図３、図５参照）を連設して構成されている。
【００３６】
主体筒１３の正面壁１５には、櫛歯体２の主体板３後面に形成された各櫛歯片４の注出路６の開口に正確に対向して連通孔１６が開設されているが、嵌着周溝１７は、この各連通孔１６全体をまとめて囲む縦長の長円周溝状となっており、嵌着筒片８との組合せにより、櫛歯体２と柄筒体１２との間の流路接続部のシール性をまとめて達成している。
【００３７】
係止突片１９のすぐ後の両側面壁１８部分には、縦突条状の当たり壁片２０（図１、図３、図４参照）が設けられており、柄筒体１２に組付いた櫛歯体２の両挟持板９の後端面を覆い、これにより柄筒体１２に組付いた櫛歯体２の挟持板９の後端縁部に髪の毛等の他の物品が引っ掛かることがないようにしている。
【００３８】
接続筒片２１は、柄筒体１２を組付きキャップ体２４に不動に嵌入組付けする部分で、内部を吐出室１４に連通する導出路２２とし、組付きキャップ体２４に対して抜け出し不能に組付くアンダーカット結合部分と、組付きキャップ体２４に対して回動変位不能な組付きを達成する回り止め片２３を設けて構成されている。
【００３９】
組付きキャップ体２４（図２参照）は、櫛付きキャップ１の容器体に対する着脱可能な組付けを達成するもので、容器体に対して螺着またはアンダーカット等の手段で着脱可能に組付く本体部分の上端に、柄筒体１２の接続筒片２１を不動にかつ強固に嵌入組付けする装着筒片２５を起立設して構成されている。
【００４０】
櫛付きキャップ１の組み立ては、櫛歯体２を、その一対の挟持板９で柄筒体１２の主体筒１３を挟み付けるように前方から押付け、この押付けにより、嵌着筒片８の嵌着周溝１７に対する密嵌着を達成すると共に、各係止片１０の係止突片１９に対する乗り越え係止を達成して、櫛歯体２と柄筒体１２との組付けを達成し、これとは別に、接続筒片２１を装着筒片２５に強引に嵌入組付けすることにより、柄筒体１２と組付きキャップ体２４との組付きを達成する。
【００４１】
上記した櫛歯体２と柄筒体１２との組付き構造から明らかなように、柄筒体１２に対する櫛歯体２の組付きは、柄筒体１２の両側面に対する櫛歯体２の係止により達成される。このため、容器体に対する櫛付きキャップ１の着脱時等に櫛歯体２に作用する横方向からの外力は、離れて位置する柄筒体１２の両側面部分で受け止められることになり、柄筒体１２に対する櫛歯体２の組付きは、作用した外力に対して強い抗力を発揮することができることになる。
【００４２】
また、このように嵌着筒片８と嵌着周溝１７との組合せ物の両側に位置するアンダーカット結合部分が、強固な結合状態を維持するので、嵌着筒片８と嵌着周溝１７との組合せ物には、外力が変位力として殆ど作用しないことになり、これにより嵌着筒片８と嵌着周溝１７との組合せ物のシール機能は安定して強固に維持されることになる。
【００４３】
なお、図１から図６に示した実施形態例における吐出口７は、縦喰い切りタイプのものであるが、突出口７の構造はこれに限定されることはなく、図７に示すように、横ピンタイプとすることも可能である。
【００４４】
縦喰い切りタイプの吐出口７とは、櫛歯片４内に注出路６を形成する金型ピンの先端部に、櫛歯片４に対して起立方向に離型する一対の金型部分を噛合わせ状に組付けて成形されるものであり、横ピンタイプの吐出口７とは、注出路６を形成する金型ピンの先端面に、櫛歯片４に対して起立方向に直交する横方向に離型する一本の金型ピンの周面を当接させて成形されるものである。
【産業上の利用可能性】
【００４５】
以上説明したように、本発明における櫛付きキャップは、柄筒体に対する櫛歯体の組付きが、外力の作用に対して充分な抗力を発揮するので、使用目的以外の外力が作用し易い部分に適用して安全な使用状態を維持する技術として、幅広い利用展開が期待できる。
【符号の説明】
【００４６】
１  ；櫛付きかヤップ
２  ；櫛歯体
３  ；主体板
４  ；櫛歯片
５  ；中央大厚部
６  ；注出路
７  ；吐出口
８  ；嵌着筒片
９  ；挟持板
１０；係止片
１１；型抜き穴
１２；柄筒体
１３；主体筒
１４；吐出室
１５；正面壁
１６；連通孔
１７；嵌着周溝
１８；側面壁
１９；係止突片
２０；当たり壁片
２１；接続筒片
２２；導出路
２３；回り止め片
２４；組付きキャップ体
２５；装着筒片
【図１】
2011072375.tif 000003
【図２】
2011072375.tif 000004
【図３】
2011072375.tif 000005
【図４】
2011072375.tif 000006
【図５】
2011072375.tif 000007
【図６】
2011072375.tif 000008
【図７】
2011072375.tif 000009